(57)【特許請求の範囲】
【請求項１】
シートに画像を形成するための画像形成部を有する画像形成装置本体と、
前記画像形成装置本体に接続可能であり、シートを前記画像形成装置本体に給送するシート給送装置と、を有する画像形成装置において、
前記シート給送装置は、
前記シート給送装置の筐体に対して引き出し可能に設けられたシート収納部と、
前記シート収納部内に積載されたシートを昇降させるシート積載部材と、
前記シート積載部材を前記シート収納部に固定させる固定部材と、を備え、
前記画像形成装置本体は、
前記シート給送装置を前記画像形成装置本体に装着した装着履歴に関する履歴情報を記憶する記憶手段と、
起動時に、前記シート給送装置が前記画像形成装置本体に装着されていると判断した場合、前記記憶手段に記憶された履歴情報に基づいて、前記シート積載部材を昇降させずに、前記固定部材の除去の報知動作を行う制御手段と、を備えた、
ことを特徴とする画像形成装置。
【請求項２】
前記シート給送装置は、前記シート収納部を前記筐体から引き出し方向に突出させる突出手段を備え、
前記制御手段は、前記報知動作として、前記突出手段により前記シート収納部を突出させる、
ことを特徴とする請求項１に記載の画像形成装置。
【請求項３】
前記突出手段は、
前記シート収納部を引き出し方向に付勢する付勢手段と、
前記シート収納部を前記付勢手段に抗して筐体内に保持するようロックするロック手段と、
前記ロック手段のロックを解除するロック解除手段と、を備え、
前記制御手段は、前記シート収納部を突出させる際に、前記ロック解除手段を作動させる、
ことを特徴とする請求項２に記載の画像形成装置。
【請求項４】
前記画像形成装置本体は、画面を表示する表示手段を備え、
前記制御手段は、前記報知動作として、前記表示手段により確認動作を促す、
ことを特徴とする請求項１乃至３の何れか１項に記載の画像形成装置。
【請求項５】
前記制御手段は、前記シート給送装置が前記画像形成装置本体に設置されてから前記シート給送装置が最初にシートの給送を開始するまでに、前記報知動作を行う、
ことを特徴とする請求項１乃至４の何れか１項に記載の画像形成装置。
【請求項６】
前記シート給送装置は、前記画像形成装置本体に対して交換可能に設けられており、
前記制御手段は、前記シート給送装置を交換してから前記シート給送装置が最初にシートの給送を開始するまでに、前記報知動作を行う、
ことを特徴とする請求項１乃至５の何れか１項に記載の画像形成装置。
【請求項７】
前記制御手段は、前記記憶手段に記憶された交換される前の前記シート給送装置の識別手段と、交換された前記シート給送装置の識別手段とが異なる場合に、シート給送装置が交換されたと判断する、
ことを特徴とする請求項６に記載の画像形成装置。
【請求項８】
前記制御手段は、前記記憶手段が、前記報知動作が行われたことを記憶している場合には、前記報知動作を行わない、
ことを特徴とする請求項１乃至７の何れか１項に記載の画像形成装置。
【請求項９】
前記シート給送装置は、前記シート収納部の使用の有無を検知するための検知手段を備え、
前記制御手段は、前記検知手段により前記シート収納部が未使用と判断した場合に、前記報知動作を行う、
ことを特徴とする請求項１乃至６のいずれか１項に記載の画像形成装置。
【請求項１０】
前記検知手段は、前記シート給送装置を前記画像形成装置本体に設置後、最初に流れる確認用の電流により切れるヒューズを有し、
前記制御手段は、最初にシートの給送を開始する前に前記確認用の電流を流し、前記確認用の電流が流れた場合に、前記報知動作を行う、
ことを特徴とする請求項９に記載の画像形成装置。
【発明の詳細な説明】
【技術分野】
【０００１】
本発明は、画像形成装置に関し、特に輸送のために使用した固定部材の取り忘れを防止するための構成に関する。
【背景技術】
【０００２】
従来、複写機、プリンタ等の画像形成装置は、画像形成部へシートを給送するシート給送装置を備えている。シート給送装置としては、シート収納部に昇降可能に設けられたシート積載部にシートを積載し、シート積載部を給紙可能位置に上昇させた後、シート給送手段によってシートを画像形成部へ給送するものがある。
【０００３】
このようなシート給送装置としては、シート積載部をワイヤで吊り下げると共に、ワイヤの繰り出し及び巻き取りを行う昇降部を備え、昇降部によってワイヤの繰り出しや、巻き取りを行うことによってシート積載部を昇降させるようにしたものがある。また、シート給送装置としては、シート積載部に積載された最上位シートの高さ位置を検知する紙面センサを備え、紙面センサが最上位シートの高さが給送可能高さであることを検知しているときにシートを給送するように構成したものがある。
【０００４】
このようなシート給送装置では、シートが順次給送されて最上位シートの高さ位置が給送可能な高さよりも低くなったことを紙面センサからの信号により検知すると、制御部は、昇降部によってワイヤを巻き取ることにより、シート積載部を上昇させる。これにより、最上位シートの高さを給送可能位置に保つことができる。
【０００５】
また、シート給送装置では、装置本体にシート収納部を引き出し可能に設けると共に、シート収納部の引き出しが容易となるようシート収納部を引き出す際、ボタンを操作すると、シート収納部の一部が突出するように構成したものがある。このシート給送装置では、シート収納部を突出するように付勢する付勢手段と、収納する際、付勢手段に抗して装置本体に収納されたシート収納部をロックすると共に、ボタン操作によりロックが解除されるロック機構が設けられている。
【０００６】
そして、シート収納部にシートを収納する際には、ボタンを操作してロック機構によるロックを解除してシート収納部の一部を突出させ、この後、シート収納部を引き出してシート積載部にシートを積載する。なお、シート積載部にシートを積載するときは、シートが積載しやすくなるように、ワイヤの繰り出しを行いシート積載部を所定のシート積載位置まで下降させる。
【０００７】
ところで、シート給送装置において、装置本体には、さまざまな移動部材が設けられているが、移動部材は、例えば輸送時、振動や衝撃により大きく振れると、筐体にぶつかって傷付いたり、破損したりする場合がある。このため、輸送時には固定部材により各移動部材を固定するようにしている。シート収納部においても、シート積載部はシート収納部内にワイヤにより吊り下げられているため、輸送時、振動や衝撃によって大きく振れる。そして、シート積載部が大きく振れると、シート積載部が周辺部材にぶつかり、シート積載部や周辺部材が傷付いたり、破損したりするおそれがある。このため、従来、輸送時には、輸送用の固定部材により、シート積載部をシート収納部に固定して輸送時の振動や衝撃による傷付きや破損を防止するようにしている（特許文献１参照）。
【先行技術文献】
【特許文献】
【０００８】
【特許文献１】特開２００７−１９７２０４号公報
【発明の概要】
【発明が解決しようとする課題】
【０００９】
このような従来のシート給送装置を備えた画像形成装置において、輸送された画像形成装置を設置する時に固定部材を取り外すが、この時、設置者が固定部材の取り外しを忘れる場合がある。このため、従来は、固定部材の色を周囲に対して目立つ色にしたり、除去を促す荷札を付けたりして固定部材が目立つようにすることにより、固定部材の取り外し忘れを防止するようにしている。
【００１０】
しかし、シート積載部をシート収納部に固定する固定部材は、輸送時、シート収納部が装置本体内に収納された状態となっているため、視認するのが困難であり、固定部材の取り外し忘れが発生しやすい。ここで、固定部材の取り外し忘れが発生すると、シート積載部はシート収納部に固定されたままとなる。この状態で、ワイヤの繰り出しや巻き取りを行うと、過剰なワイヤの繰り出しでワイヤが弛んで外れたり、ワイヤ巻き取りの荷重によりワイヤの破断や駆動部の変形が発生したりするおそれがある。
【００１１】
そこで、本発明は、このような現状に鑑みてなされたものであり、固定部材の取り外し忘れの発生を防ぐことのできる画像形成装置を提供することを目的とするものである。
【課題を解決するための手段】
【００１２】
本発明に係る画像形成装置の一態様は、シートに画像を形成するための画像形成部を有する画像形成装置本体と、前記画像形成装置本体に接続可能であり、シートを前記画像形成装置本体に給送するシート給送装置と、を有する画像形成装置において、前記シート給送装置は、前記シート給送装置の筐体に対して引き出し可能に設けられたシート収納部と、前記シート収納部内に積載されたシートを昇降させるシート積載部材と、前記シート積載部材を前記シート収納部に固定させる固定部材と、を備え、前記画像形成装置本体は、前記シート給送装置を前記画像形成装置本体に装着した装着履歴に関する履歴情報を記憶する記憶手段と、起動時に、前記シート給送装置が前記画像形成装置本体に装着されていると判断した場合、前記記憶手段に記憶された履歴情報に基づいて、前記シート積載部材を昇降させずに、前記固定部材の除去の報知動作を行う制御手段と、を備えたことを特徴とするものである。
【発明の効果】
【００１３】
本発明によれば、固定部材の取り外し忘れの発生を抑制することができる。
【図面の簡単な説明】
【００１４】
【図１】本発明の第１の実施の形態に係る画像形成装置の一例であるフルカラーレーザビームプリンタの全体構成を示す図。
【図２】上記フルカラーレーザビームプリンタの制御ブロック図。
【図３】上記フルカラーレーザビームプリンタに取り付けられたオプションデッキの模式図。
【図４】上記オプションデッキの負荷構成図。
【図５】上記オプションデッキのシート収納部に中板を固定する構成を説明する図。
【図６】上記フルカラーレーザビームプリンタの制御部に設けられたＲＡＭのデッキ装着履歴フラグを説明する図。
【図７】（ａ）は上記フルカラーレーザビームプリンタの操作部の正面図、（ｂ）は操作部の表示部の固定ビス除去指示画面を説明する図。
【図８】上記制御部による電源ＯＮ後の固定ビスの取り外し忘れ防止制御のフローチャート。
【図９】上記制御部による固定ビス装着判断のフローチャート。
【図１０】上記制御部によるデッキ昇降制御のフローチャート。
【図１１】上記制御部による中板下降制御のフローチャート。
【図１２】本発明の第２の実施の形態に係る画像形成装置の制御部に設けられたＲＡＭの装着デッキシリアルＩＤを用いたデッキの交換の判断を説明する模式図。
【図１３】上記制御部による固定ビス装着判断のフローチャート。
【発明を実施するための形態】
【００１５】
以下、本発明を実施するための形態について図面を用いて詳細に説明する。図１は、本発明の第１の実施の形態に係る画像形成装置の一例であるフルカラーレーザビームプリンタの全体構成を示す図である。
【００１６】
図１に示すように、フルカラーレーザビームプリンタ（以下、プリンタという）１００は、画像形成装置本体であるプリンタ本体１００Ａを備えている。このプリンタ本体１００Ａは、シートに画像を形成する画像形成部１００Ｂ、シート給送装置１００Ｃ等を備えると共に、上方に画像読取装置２００が設けられている。そして、画像読取装置２００とプリンタ本体１００Ａとの間に、シート排出用の排出空間Ｓが形成されている。また、プリンタ本体１００Ａの一側部には大容量のシート給送装置であるオプションデッキ１８０が着脱自在に取り付けられている。
【００１７】
画像読取装置２００は、原稿載置台１５２に載置された原稿Ｄを搬送する原稿搬送ローラ１１２と、原稿Ｄの有無を検知する原稿有無センサ１５１を備えている。そして、原稿画像を読み取る際には、原稿搬送ローラ１１２を駆動して原稿Ｄを、原稿圧板ガラス板５５上を通過させ、この際、原稿画像をイメージセンサ２３３で読み取る。
【００１８】
画像形成部１００Ｂは、４ドラムフルカラー方式のものであり、レーザスキャナ１０３ｙ，１０３ｍ，１０３ｃ，１０３ｋ（以下、レーザスキャナ１０３と記す。）を備えている。また、画像形成部１００Ｂは、イエロー（Ｙ）、マゼンタ（Ｍ）、シアン（Ｃ）及びブラック（Ｋ）の４色のトナー画像を形成する４個のプロセスカートリッジ１２０を備えている。
【００１９】
ここで、各プロセスカートリッジ１２０は、感光体ドラム１０１ｙ，１０１ｍ，１０１ｃ，１０１ｋ（感光体ドラム１０１と記す。）と、帯電器１０２ｙ，１０２ｍ，１０２ｃ，１０２ｋ（以下、帯電器１０２と記す。）を備えている。各プロセスカートリッジ１２０は、現像器１０４ｙ，１０４ｍ，１０４ｃ，１０４ｋ（以下、現像器１０４と記す。）と、クリーナ１０７ｙ，１０７ｍ，１０７ｃ，１０７ｋ（以下、クリーナ１０７と記す。）を備えている。
【００２０】
また、画像形成部１００Ｂは、プロセスカートリッジ１２０の上方に配された中間転写ユニット１４０を備えている。中間転写ユニット１４０は、中間転写ベルト１３０を備えている。また、中間転写ユニット１４０は、中間転写ベルト１３０の内側に設けられ、感光体ドラム１０１に対向した位置で中間転写ベルト１３０に接離可能に当接する１次転写ローラ１０５ｙ，１０５ｍ，１０５ｃ，１０５ｋ（以下、１次転写ローラ１０５と記す。）を備えている。ここで、中間転写ベルト１３０は、フィルム状部材で構成されると共に各感光体ドラム１０１に接するように配置され、不図示の駆動部により矢印方向に回転する。
【００２１】
そして、この中間転写ベルト１３０に１次転写ローラ１０５によって正極性の転写バイアスを印加することにより、感光体ドラム上の負極性を持つ各色トナー像が順次中間転写ベルト１３０に転写される。これにより、中間転写ベルト上にはカラー画像が形成される。中間転写ベルト上に形成されたカラー画像は二次転写部１１８によりシートＰに転写される。この二次転写部１１８の上部に定着部１７０が配置され、この定着部１７０の左上部には第１排出ローラ対１３９ａ、第２排出ローラ対１３９ｂ及び両面反転部１００Ｄが配置されている。
【００２２】
シート給送装置１００Ｃは、カセット１５０と、カセット１５０に収納されたシートＰを送り出すシート給送部１５３を備えている。オプションデッキ（以下、デッキという）１８０は、多数枚のシートＰを積載収納するシート収納部１８１、シート収納部１８１に収納されたシートを給送するピックアップローラ１８７、搬送ローラ１８８等を備えている。このシート収納部１８１はデッキ本体（シート給送装置本体）である筐体１８０ａに対して引き出し自在に設けられると共に、シートＰを積載して昇降可能なシート積載部材である中板１８２を備えている。なお、中板１８２は、後述するようにワイヤで吊り下げられ、ワイヤの巻き取り又は巻き戻しにより昇降可能となっている。
【００２３】
図１に示すように、プリンタ本体１００Ａにはプリンタ本体１００Ａの画像形成動作、シート給送装置１００Ｃ及びデッキ１８０のシート給送動作を制御する制御部（制御手段）３００が設けられている。また、制御部３００には、操作部であるＵＩ３３０が接続されており、ユーザは、このＵＩ３３０により、制御部３００に対して画像形成を行うカラーモードの選択や、プリンタ１００の状態表示、コピースタート等の指示を行う。
【００２４】
図２は、本実施の形態に係るプリンタ１００の制御ブロック図である。制御部３００は、ＣＰＵ３０１、ＲＯＭ３０２、ＲＡＭ３０３を有している。ＣＰＵ３０１はプリンタ１００やデッキ１８０のシステム制御を行うものであり、ＲＯＭ３０２には制御プログラムが書き込まれ、ＲＡＭ３０３には制御に用いる変数や、後述するイメージリーダ制御部２８０によって読み取られた画像データ等が保存される。そして、ＲＯＭ３０２及びＲＡＭ３０３はアドレスバスとデータバスによりＣＰＵ３０１に接続されている。ＲＡＭ３０３はプリンタ１００への電源供給が停止しても保存された値を保持可能な不揮発性メモリである。
【００２５】
ＣＰＵ３０１は原稿給送装置制御部４８０を介して既述した図１に示す原稿搬送ローラ１１２の駆動や、原稿有無センサ１５１による原稿有無検知等を行う。またＣＰＵ３０１は、イメージリーダ制御部２８０を介して、原稿圧板の開閉動作を検知すると共に、原稿圧板ガラス板５５上の原稿画像、原稿給送装置制御部４８０によって給送された原稿画像をイメージセンサ２３３で読み取る。そして、イメージセンサ２３３から出力されたアナログ画像信号を画像信号制御部２８１に転送する。
【００２６】
画像信号制御部２８１は、コピー動作（画像形成動作）時は、イメージセンサ２３３からのアナログ画像信号をデジタル画像信号に変換した後に各処理を施し、このデジタル画像信号をビデオ信号に変換してプリンタ制御部２８５に出力する。また、画像信号制御部２８１は、プリント動作時は、コンピュータ２８３から外部ＩＦ２８２を介して入力されたデジタル画像信号に各種処理を施し、このデジタル画像信号をビデオ信号に変換してプリンタ制御部２８５に出力する。
【００２７】
プリンタ制御部２８５はＣＰＵ３０１からの指示に基づいて、画像形成部１００Ｂへ画像形成を指示する。画像形成部１００Ｂは、入力されたビデオ信号に基づき図１のレーザスキャナ１０３を駆動してレーザ光を発光すると共にプロセスカートリッジ１２０を駆動する。また、プリンタ制御部２８５はＣＰＵ３０１からの指示に基づいて、シート給送部１５３のシートの給送及び搬送を制御する。また、プリンタ制御部２８５はＣＰＵ３０１からの指示に基づいて、定着部１７０を駆動し、画像形成されたシート上のトナー像を定着する定着制御を行う。
【００２８】
さらに、プリンタ制御部２８５は、デッキ１８０がプリンタ１００に接続されている場合、デッキ制御部２７８とのハンドシェイクを行い、ＣＰＵ３０１の指示に基づいて、デッキ制御部２７８への動作指示を行う。この動作指示に基づきデッキ制御部２７８は、デッキ１８０内のシートの給送や搬送制御、中板１８２のリフトアップやリフトダウン動作、デッキ１８０が有するデッキ不揮発ＲＡＭ２７９の値の読み書きを行う。
【００２９】
次に、図１及び図２を用いて画像形成動作の際のＣＰＵ３０１の制御について説明する。ＣＰＵ３０１は、ＵＩ３３０等からのカラーモードや置数等のプリント設定指示に基づき、また原稿給送装置制御部４８０やイメージリーダ制御部２８０を介して原稿圧板開閉や原稿載置を検知すると、プリント準備動作を行う。プリント準備動作では、定着部１７０の温調制御を開始すると共に、ＵＩ３３０から指定されたカラーモードに合わせて、１次転写ローラ１０５の当接離間状態の切り替えとレーザスキャナ１０３内のポリゴンモータの駆動制御を開始する。
【００３０】
ＣＰＵ３０１は、プリント動作開始の指示が入ると、原稿給送装置制御部４８０を介して原稿読取を開始する。即ち、原稿搬送ローラ１１２を駆動し、原稿載置台１５２から原稿Ｄを原稿圧板ガラス板５５上に搬送すると共に、原稿圧板ガラス板５５へ不図示のランプの光で照射を行う。原稿Ｄからの反射光は、ミラーを通してイメージセンサ２３３に導かれるように構成されており、イメージセンサ２３３により読み取った原稿Ｄの画像データは、画像信号制御部２８１へ出力される。原稿読取は、原稿圧板ガラス板５５上の原稿読取が完了するまで、もしくは原稿有無センサ１５１によって検知された最終原稿の読取が完了するまで継続される。
【００３１】
一方で、ＣＰＵ３０１は中間転写ユニット１４０の１次転写ローラ１０５の当接状態切り替えが完了すると、プリンタ制御部２８５を介してプロセスカートリッジ１２０を制御する。これにより、感光体ドラム１０１表面が帯電された後、ＲＡＭ３０３に保存された画像データに基づいてレーザスキャナ１０３から照射されるレーザ光により、感光体ドラム１０１上に潜像が形成される。形成された潜像は、現像器内のトナーにより感光体ドラム１０１上に現像され、現像された感光体ドラム１０１上のトナー像は、一次転写ローラ１０５において印加される一次転写電圧により中間転写ベルト１３０に転写される。中間転写ベルト１３０に転写されたトナー像は、中間転写ベルト１３０の回転によって、二次転写部１１８に搬送される。
【００３２】
また、ＣＰＵ３０１は、例えばデッキ１８０に収納されたシートＰに画像を形成する場合は、二次転写部１１８にトナー像が到着するタイミングに間に合うように、デッキ制御部２７８を介してピックアップローラ１８７や搬送ローラ１８８を駆動させる。これにより、デッキ１８０からシートＰが１枚ずつ給送され、この後、シートＰは搬送ローラ１１４によりレジストレーションローラ１１６に搬送される。そして、シートＰは、レジストレーションローラ１１６により斜行が補正された状態で二次転写部１１８に到達し、二次転写部１１８においてシートＰとトナー像に対し、二次転写電圧を印加することにより、トナー像がシートＰに転写される。
【００３３】
二次転写後、シートＰは定着部１７０に搬送され、定着部１７０において熱及び圧力を受けて各色のトナーが溶融混色し、シートＰにカラー画像として定着される。この後、画像が定着されたシートＰは、定着部１７０の下流に設けられた第１排出ローラ対１３９ａ及び第２排出ローラ対１３９ｂによって排出空間Ｓに排出され、排出空間Ｓの底面に突出された積載部１３２に積載される。なお、シートＰの両面に画像を形成する際は、画像が定着された後、シートＰは両面反転部１００Ｄの反転ローラ対２２３により再搬送通路Ｒに搬送され、再度、画像形成部１００Ｂに搬送される。
【００３４】
図３は、本実施の形態におけるデッキ１８０の模式図である。図３において、シート収納部１８１の背面の構成を説明するため、一部透過図としている。また、図３は、中板１８２上にシートＰを積載するため、シート収納部１８１を引き出したときの状態を示しており、このように引き出された際、シート収納部１８１の上方が開放される。なお、本実施の形態において、矢印で示すシート収納部１８１の引き出し方向は、シート給送方向と直交する幅方向である。
【００３５】
シート収納部１８１には中板１８２の幅方向の側方に位置する側板１８９ａ，１８９ｂが設けられている。この側板１８９ａ，１８９ｂと中板１８２との間には、中板１８２に積載されたシートの幅方向の位置を規制するサイド規制板１８２ａ，１８２ｂが設けられている。また、シート収納部１８１には、中板１８２に積載されたシートのシート給送方向の位置を規制する後端規制板１８２ｃが設けられている。
【００３６】
引き出し方向上流側の側板１８９ａには、シート給送方向に並んで２つの開口部１９０が上下方向に形成されている。中板１８２の引き出し方向上流側の側面には、側板１８９ａの開口部１９０から外側に突出するワイヤ吊り下げ部１９３ａ，１９３ｂが形成されている。なお、図示はしないが引き出し方向下流側の側板１８９ｂにもシート給送方向に並んで２つの開口部が上下方向に形成に形成され、中板１８２の引き出し方向下流側の側面には、側板１８９ｂの開口部から外側に突出するワイヤ吊り下げ部が形成されている。そして、ワイヤ吊り下げ部１９３ａ，１９３ｂに、一端がワイヤ巻き取り軸１７１に取り付けられたワイヤ１９４をそれぞれ取り付け、このワイヤ１９４を巻き取り、あるいは繰り出すことにより、中板１８２は昇降する。
【００３７】
ここで、シート収納部１８１にシートを収納する際、シート収納部１８１を筐体１８０ａから引き出すが、シート収納部１８１を引き出す際、シート収納部１８１の引き出しが容易となるようシート収納部１８１の一部を突出させるようにしている。このため、シート収納部１８１には、シート収納部１８１を、一部が引き出し方向に突出するように付勢する付勢手段であるデッキ開放バネ１９６が設けられている。なお、このデッキ開放バネ１９６は、シート収納部１８１を筐体１８０ａ内に収納した際、筐体１８０ａに設けられた不図示のストッパと当接して縮むことにより、シート収納部１８１は引き出し方向に突出するように付勢される。
【００３８】
デッキ１８０は、シート収納部１８１の側板１８９ａに設けられた係止部１９７と、筐体１８０ａに設けられたデッキフック１９５を有し、デッキ開放バネ１９６により付勢されたシート収納部１８１をロックするロック機構１９５ａを有している。そして、このロック手段であるロック機構１９５ａにより、シート収納部１８１は筐体内に保持される。また、側板１８９ａには、ロック機構１９５ａによるロックを解除してシート収納部１８１の一部を突出するためのデッキ開スイッチ１８３と、シート収納部１８１が引き出されたことを検知するデッキ開閉検知スイッチ１９１が設けられている。筐体１８０ａの上部には、中板１８２上のシートの有無を検出するシート有無センサ１８４と、中板１８２が上昇して中板１８２に積載されたシートＰの最上位シートがピックアップローラ１８７を押し上げたことを検出する紙面センサ１８５が設けられている。
【００３９】
図４は、本実施の形態におけるデッキ１８０の負荷構成図である。図４に示すように、ピックアップローラ１８７と搬送ローラ１８８は、給送モータ４１１により駆動される。そして、ＣＰＵ３０１が、既述した図２に示すデッキ制御部２７８を介して給送モータ４１１を駆動すると、ピックアップローラ１８７と搬送ローラ１８８によって、中板１８２上の最上位シートがプリンタ本体内に送り出される。
【００４０】
ワイヤ巻き取り軸１７１は正逆転可能なデッキリフタモータ４１２により回転する。そして、ＣＰＵ３０１が、デッキ制御部２７８を介してデッキリフタモータ４１２を正回転させると、ワイヤ巻き取り軸１７１が正回転してワイヤ１９４が巻き取られ、中板１８２が上昇する。また、デッキリフタモータ４１２を逆回転させると、ワイヤ巻き取り軸１７１が逆回転してワイヤ１９４が繰り出され、中板１８２が下降する。なお、中板１８２が上昇して中板１８２上のシートがピックアップローラ１８７を押し上げ、これを紙面センサ１８５が検知すると、ＣＰＵ３０１はデッキリフタモータ４１２を停止し、中板１８２の上昇を停止する。
【００４１】
デッキフック１９５は、デッキ開ソレノイド４１３により駆動され、デッキ開ソレノイド４１３はデッキ開スイッチ１８３により作動する。そして、ＣＰＵ３０１は、デッキ開スイッチ１８３が押下されたことを検出すると、デッキ開ソレノイド４１３を駆動してデッキフック１９５を上方回動させ、係止部１９７に対する係止を解除する。これにより、シート収納部１８１にはデッキ開放バネ１９６の伸び力が作用し、シート収納部１８１の一部が筐体１８０ａから引き出し方向に突出する。このように、本実施の形態においては、ロック機構１９５ａと、デッキ開放バネ１９６と、ロック解除手段であるデッキ開ソレノイド４１３とにより、突出手段１８０ｂが構成される。
【００４２】
ここで、シート収納部１８１を引き出しても中板１８２がピックアップローラ１８７を押し上げる高さにあると、それ以上シートを積載することができない。このため、ＣＰＵ３０１は、デッキ開閉検知スイッチ１９１によりシート収納部１８１が引き出されたことを検知すると、デッキリフタモータ４１２を逆回転させてワイヤ１９４を繰り出し、中板１８２を下降させる。
【００４３】
なお、シート収納部１８１の高さ方向の中央部には中板１８２に積載されたシートの最上位シートの高さ位置、もしくはシートＰが積載されていないのであれば中板１８２の高さ位置を検出する中継ぎセンサ１８６が設けられている。ＣＰＵ３０１は、中板１８２を下降させる際、中継ぎセンサ１８６により、中板１８２に積載されたシートＰの最上位シートの高さ、もしくは中板１８２の高さが中継ぎセンサ１８６よりも高い位置にあるか低い位置にあるかを検出する。
【００４４】
そして、ＣＰＵ３０１は、最上位のシートが中継ぎセンサ１８６より低い位置にあることを検出した場合には中板１８２の下降は行わず、最上位のシートが中継ぎセンサ１８６より高い位置にあることを検出した場合には中板１８２を下降させる。この後、中継ぎセンサ１８６によって、中板１８２もしくは中板１８２に積載されたシートの最上位シート位置が検出されると中板１８２の下降を停止する。なお、シート収納部１８１の下部には中板１８２がシート収納部１８１の下限に達したことを検知する下限センサ１９２が設けられており、下限センサ１９２が下降する中板１８２を検出した場合も、同様に中板１８２の下降を停止する。
【００４５】
シート収納部１８１にシートが収納され、シート収納部１８１が筐体内に収納されると、デッキフック１９５が係止部１９７に係止され、シート収納部１８１は筐体内に収納された状態でロックされる。この後、シート収納部１８１が収納されたことをデッキ開閉検知スイッチ１９１が検知すると、ＣＰＵ３０１はデッキリフタモータ４１２を正回転させ、中板１８２を上昇させる。
【００４６】
この後、中板１８２上のシートの高さが、ピックアップローラ１８７を押し上げる高さ、いわゆる給送可能な高さに達し、この状態でプリンタ１００より給送信号が送られてくると、ＣＰＵ３０１は給送モータ４１１を駆動する。これにより、ピックアップローラ１８７が最上位のシートに当接しながら回転し、最上位のシートを搬送ローラ１８８まで給送する。
【００４７】
ところで、プリンタ１００の輸送時、中板１８２が、振動や衝撃によって大きく振れると、中板１８２が筐体１８０ａ等にぶつかって中板１８２自体や、筐体１８０ａ等が傷付いたり、破損したりするおそれがある。そこで、本実施の形態において、側板１８９ａ，１８９ｂの少なくとも一方、本実施の形態においては、図５に示すように側板１８９ａにビス穴１９８を設けると共に、中板１８２にもビス穴１８２ｄを設けている。
【００４８】
そして、輸送時、ビス穴１８２ｄ，１９８に固定部材である固定ビス１９９を通して中板１８２を側板１８９ａに固定する。これにより、中板１８２は、ビス穴１８２ｄ，１９８の位置でシート収納部１８１に固定され、このようにシート収納部１８１と中板１８２を固定ビス１９９で固定自在に固定した状態でデッキ１８０を出荷する。固定ビス１９９は、デッキ１８０の搬送が終了し、設置されたプリンタ本体１００Ａに接続された後、又はプリンタ本体１００Ａに接続される前の、デッキ１８０が設置される際に取り除かれる。これにより、中板１８２は昇降可能となり、ワイヤ１９４の巻き取りや繰り出しによって昇降する。
【００４９】
しかし、例えばデッキ１８０を設置する際、設置者が、固定ビス１９９を取り外し忘れる場合がある。この場合、中板１８２は固定ビス１９９により固定されているので、この状態でワイヤ１９４の繰り出しを行うと、過剰なワイヤの繰り出しによりワイヤが弛んで外れ、ワイヤ１９４を巻き取ると巻き取りの荷重によりワイヤの破断や駆動部の変形等が発生する。
【００５０】
そこで、本実施の形態では、プリンタ本体１００Ａが設置されてからデッキ１８０による最初のシートの給送を開始する前に、すなわち中板１８２の昇降動作を行う前に、ＵＩ３３０に固定ビス１９９の除去を指示する画面を表示する。また、プリンタ本体１００Ａが設置されてからデッキ１８０による最初のシートの給送を開始する前に、自動でシート収納部１８１を突出させる。これにより、固定ビス１９９の取り外し状態を確認する確認動作が必要であることを設置者に報知することができる。
【００５１】
このような報知動作を行うため、図６に示すように報知動作記憶手段であるＲＡＭ３０３にデッキ装着履歴フラグを格納するデッキ装着履歴アドレスを設けている。そして、デッキ装着履歴アドレスに、プリンタ１００が出荷されるタイミングで初期値として、データ７１１のように０を書き込むようにしている。
【００５２】
そして、プリンタ１００が設置されてからデッキ１８０がプリンタ１００に接続された状態でプリンタ１００の電源が投入されると、ＣＰＵ３０１によって、デッキ装着履歴アドレスが読み込まれる。ここで、０が読み込まれた場合、ＣＰＵ３０１は、デッキ装着履歴が無いと判断する。デッキ装着履歴が無い場合は、今回の電源投入がデッキ１８０が接続されてから最初の電源投入であり、この場合、固定ビス１９９が取り外されていない可能性がある。
【００５３】
このため、ＣＰＵ３０１は、設置者に固定ビス１９９が取り外されているかを確認させるため、デッキ開ソレノイド４１３を駆動してシート収納部１８１を突出させると共に、ＵＩ３３０に固定ビス１９９除去の指示画面を表示する。ここで、このようなデッキ開ソレノイド４１３の駆動及び画面表示を行うことにより、設置者により固定ビス１９９が取り外されると予想できる。このため、ＣＰＵ３０１は、デッキ開ソレノイド４１３の駆動等を行った後、デッキ装着履歴アドレスへ、データ７１２のようにデッキ装着履歴有り、すなわち報知動作が既に行われたことを意味する１を書き込む。
【００５４】
図７の（ａ）は、本実施の形態におけるＵＩ３３０の正面図であり、ＵＩ３３０には、コピー動作を開始するためのスタートキー３０６、コピー動作を中断するためのストップキー３０７、置数設定等を行うテンキー３１３等が配置されている。また、上部にタッチパネルが形成された表示手段である表示部３１１が配置されており、画面上にソフトキーを作成可能となっている。
【００５５】
そして、ＣＰＵ３０１は、デッキ装着履歴が無いと判断すると、すなわち固定ビス１９９の除去の確認が必要であると判断すると、設置者に確認動作を行わせるため、表示部３１１に図７の（ｂ）に示す固定ビス１９９除去の指示画面をポップアップ表示する。なお、このポップアップ表示は、ＯＫキー３１４が押下されるまで消えないので、設置者は表示を消すようＯＫキー３１４を押下するようになり、固定ビス１９９の除去の確認が必要であることを認識する。
【００５６】
次に、固定ビス１９９の取り外し忘れ防止制御に関して説明する。図８は、電源ＯＮ後の制御フローチャートである。なお、本取り外し忘れ防止制御は、プリンタ本体１００Ａが設置されてからオプションデッキ１８０が最初にシートの給送を開始するまでに行われるが、本実施の形態においては、プリンタ１００の電源ＯＮで本制御が開始される。
【００５７】
ＣＰＵ３０１は、まず既述した図２に示すプリンタ制御部２８５とデッキ制御部２７８とのハンドシェイクが成功したかにより、デッキ１８０がプリンタ１００に接続されているかを判断する（Ｓ２１１１）。ハンドシェイクが失敗していた場合は、デッキ１８０が装着されていないと判断する。デッキ１８０が装着されている場合（Ｓ２１１１のＹ）、固定ビス１９９の取り外し忘れが有るかを判断する固定ビス装着判断を行う（Ｓ２１１５）。なお、この固定ビス装着判断の詳細は後述する。
【００５８】
固定ビス装着判断により固定ビスが装着されている可能性があると判断された場合（Ｓ２１２１のＹ）、固定ビス１９９の除去を設置者に気付かせる動作を行う。まず、ＣＰＵ３０１は、図７の（ｂ）で説明したように、ＵＩ３３０に固定ビス１９９除去を指示するメッセージを表示する（Ｓ２１２５）。次に、デッキ１８０が開状態か、すなわちシート収納部１８１が引き出されているかを判断し（Ｓ２１３１）、デッキ１８０が開状態ではない場合は（Ｓ２１３１のＮ）、所定時間デッキ開ソレノイド４１３をＯＮする（Ｓ２１３５）。これにより、シート収納部１８１が突出する。なお、デッキ開ソレノイド４１３の駆動時間は、デッキフック１９５の移動時間に、デッキ開ソレノイド４１３の反応時間を加えた２００ｍｓ間としている。
【００５９】
そして、シート収納部１８１が突出することにより、また固定ビス除去指示画面が表示されることにより、設置者は確認動作を行うので、固定ビス１９９の取り外しを忘れた場合でも、設置者は固定ビス１９９の取り外し忘れに気付くことができる。なお、デッキ１８０の出荷時に、固定ビス１９９に目立つ赤色の荷札を括り付けておくことで、固定ビス１９９の視認性を高めることができる。この後、Ｓ２１１５に戻り、固定ビス装着判断を行う。この場合、固定ビス１９９は取り外されているので、通常のデッキ昇降制御として、中板１８２の昇降動作を開始する（Ｓ２１３８）。なお、このデッキ昇降制御の詳細は後述する。
【００６０】
図９は、図８の固定ビス装着判断Ｓ２１１５のフローチャートである。まず、ＣＰＵ３０１は、既述した図６に示すようにＲＡＭ３０３のデッキ装着履歴アドレス値を読み込み、ＲＡＭ３０３にデッキ装着履歴が有るか、すなわちデッキ装着履歴アドレス値が１かを判断する（Ｓ２４１１）。デッキ装着履歴が有る場合（Ｓ２４１１のＹ）、既に図８のＳ２１２５、Ｓ２１３５で示す固定ビス１９９の除去を設置者に気付かせる報知動作を行っており、既に固定ビス１９９が除去され、装着されていないと判断し（Ｓ２４１５）、本フローを終了する。
【００６１】
デッキ装着履歴が無い場合（Ｓ２４１１のＮ）、すなわちデッキ装着履歴アドレス値が０の場合は、プリンタ１００に初めてデッキ１８０が装着されたと判断し、固定ビスが装着されている可能性があると判断する（Ｓ２４２１）。なお、このように固定ビスが装着されている可能性があると判断すると、ＣＰＵ３０１は、既述したように報知動作を行うので固定ビスが取り外される。このため、ＣＰＵ３０１は、一回固定ビスが装着されている可能性があると判断して報知動作を行うと、ＲＡＭ３０３のデッキ装着履歴アドレス値に装着履歴である１を書き込む（Ｓ２４２５）。これにより、次回以降は固定ビスが装着されていないと判断することができる。
【００６２】
図１０は、図８のデッキ昇降制御Ｓ２１３８のフローチャートである。ＣＰＵ３０１は、シート収納部１８１に設けられたデッキ開閉検知スイッチ１９１が押下状態にあるかを判断することにより、デッキが開かれている、すなわちシート収納部１８１が引き出されているかを判断する（Ｓ２２１１）。デッキが開かれていると判断した場合は（Ｓ２２１１のＹ）、デッキシート無し確定フラグをＯＦＦする（Ｓ２２１５）。この後、シートを積載可能な位置まで中板１８２を下降させるため、後述する中板下降制御を実施する（Ｓ２２２１）。
【００６３】
ＣＰＵ３０１は、デッキが閉じられている、すなわちシート収納部１８１が収納されていると判断した場合は（Ｓ２２１１のＮ）、この後、デッキ開スイッチ１８３が押下されるか（ＯＮ）を判断する（Ｓ２２３１）。そして、デッキ開スイッチ１８３が押下されてＯＮとなると（Ｓ２２３１のＹ）、シート収納部１８１を突出させるため、ＣＰＵ３０１はデッキ開ソレノイド４１３を所定時間駆動する（Ｓ２２７１）。これにより、既述したように２００ｍｓ間デッキ開ソレノイド４１３が駆動され、シート収納部１８１が突出する。なお、本デッキ昇降制御フローは、図８のフローチャートで示したように、繰り返し実行されるため、次に本フローが実行されると、Ｓ２２１１でデッキが開かれていると判断され（Ｓ２２１１のＹ）、この後、中板下降制御（Ｓ２２２１）が行われる。
【００６４】
ＣＰＵ３０１は、デッキ開スイッチ１８３が押下されていない場合（Ｓ２２３１のＮ）、デッキシート無し確定フラグがＯＮ状態かを確認する（Ｓ２２３５）。デッキシート無し確定フラグがＯＮの場合（Ｓ２２３５のＹ）、中板下降制御を実施する（Ｓ２２２１）。デッキシート無し確定フラグがＯＦＦの場合（Ｓ２２３５のＮ）、最上位シートの高さを給送可能位置に保つ通常の制御を行うため紙面センサ１８５がＯＮかを確認する（Ｓ２２４１）。
【００６５】
ここで、既述したように中板１８２上のシートもしくは中板１８２自体がピックアップローラ１８７を押し上げると、紙面センサ１８５がＯＮになる。このため、ＣＰＵ３０１は、紙面センサ１８５がＯＦＦの場合（Ｓ２２４１のＮ）、デッキリフタモータ４１２を正回転させ（Ｓ２２５１）て、中板１８２を上昇させる。なお、本デッキ昇降制御フローは繰り返し実行されるため、紙面センサ１８５がＯＮになるまで、中板１８２を上昇させ続ける。
【００６６】
ＣＰＵ３０１は、紙面センサ１８５がＯＮの場合（Ｓ２２４１のＹ）、シート有無センサ１８４がＯＮかを確認する（Ｓ２２４５）。中板１８２上にシートが積載されている場合、シート有無センサ１８４はＯＮとなる。したがって、紙面センサ１８５がＯＮで（Ｓ２２４１のＹ）、シート有無センサ１８４もＯＮの場合（Ｓ２２４５のＹ）、中板１８２上のシートが給送可能な高さに至ったと判断し、デッキリフタモータ４１２を停止する（Ｓ２２６５）。
【００６７】
一方、シート有無センサ１８４がＯＦＦの場合（Ｓ２２４５のＮ）、ＣＰＵ３０１は、中板１８２上にシートが積載されていないと判断して、デッキシート無し確定フラグをＯＮする（Ｓ２２６１）。これにより、この後、シート収納部１８１が引き出された時に、ユーザが中板１８２にシートを積載することができる位置まで中板１８２を下降させる中板下降制御（Ｓ２２２１）を行う。なお、本フローは繰り返し実行されるため、次回本フローが実行される際は、Ｓ２２３５でデッキシート無し確定フラグがＯＮになっており、この場合、中板下降制御を継続する（Ｓ２２２１）。
【００６８】
図１１は、図１０の中板下降制御Ｓ２２２１のフローチャートである。まず、ＣＰＵ３０１は、中継ぎセンサ１８６がＯＮかを判断する（Ｓ２３１１）。中継ぎセンサ１８６がＯＮであれば（Ｓ２３１１のＹ）、中板１８２もしくは中板１８２上の最上位シートが中継ぎセンサ１８６位置より高い位置にあると判断する。この場合、既述したようにユーザが中板１８２上にシートを積載しやすくするため、最上位のシートが中継ぎセンサ１８６より低い位置になるようにデッキリフタモータ４１２を逆回転させ（Ｓ２３１２）、中板１８２を下降させる。
【００６９】
この後、ＣＰＵ３０１は、下限センサ１９２がＯＮかを判断する（Ｓ２３１５）。そして、下限センサ１９２がＯＮでない場合には（Ｓ２３１５のＮ）、中継ぎセンサ１８６がＯＦＦ状態になるまで（Ｓ２３１１のＮ）、もしくは下限センサ１９２がＯＮになるまで（Ｓ２３１５のＹ）、デッキリフタモータ４１２を逆回転させる。中継ぎセンサ１８６がＯＦＦ状態になると（Ｓ２３１１のＮ）、もしくは下限センサ１９２がＯＮになると（Ｓ２３１５のＹ）、デッキリフタモータ４１２を停止させる（Ｓ２３２５）。これにより、シート収納部１８１が引き出された時、中板１８２はユーザが中板１８２にシートを積載可能な位置まで下降して停止する。
【００７０】
以上説明したように、本実施の形態においては、ＲＡＭ３０３に書き込まれたデッキ装着履歴を用いて、デッキ１８０が初期設置状態であるか、すなわち最初にシートを給送する前であり、固定ビス１９９の取り外しを確認する確認動作が必要かを判断する。そして、確認動作が必要であると判断した場合には、シート収納部１８１を突出させると共に、表示部３１１により取り外し指示画面を表示する報知動作を行う。
【００７１】
これにより、設置者に確認動作を行わせることができるので、固定ビス１９９の取り外し忘れを防ぐことができ、固定ビス１９９の取り外し忘れによりデッキ１８０が破損してしまうことを防止することができる。なお、本実施の形態においては、報知動作としてシート収納部１８１の突出動作及び取り外し指示画面表示動作を行う場合について説明したが、シート収納部１８１の突出動作及び取り外し指示画面表示動作の一方を行うようにしても良い。
【００７２】
次に、本発明の第２の実施の形態について説明する。本実施の形態において、デッキは交換可能となっており、またデッキには識別手段である装着デッキシリアルＩＤが付与されている。そして、ＣＰＵはデッキが交換されると、ＲＡＭ３０３に、デッキに付与された装着デッキシリアルＩＤを書き込むと共に、既述した図２に示すようにデッキ１８０に設けられたデッキ不揮発ＲＡＭ２７９にデッキシリアルＩＤを保持させる。
【００７３】
そして、次回起動時に再度デッキ不揮発ＲＡＭ２７９から読み出した装着デッキシリアルＩＤと、ＲＡＭ３０３に保持されている装着デッキシリアルＩＤとを比較する。そして、読み出した装着デッキシリアルＩＤと、ＲＡＭ３０３に保持されている装着デッキシリアルＩＤとが一致しない場合には、デッキが交換されており、交換後のデッキは、固定ビスが装着されている可能性があると判断する。
【００７４】
図１２は、本実施の形態における装着デッキシリアルＩＤを用いたデッキの交換の判断を説明する模式図である。ＲＡＭ３０３の、装着デッキシリアルＩＤが格納される装着デッキシリアルＩＤアドレスには、プリンタ１００が出荷されるタイミングで、データ７３２のように０が書き込まれている。そして、デッキがプリンタに接続された状態で、プリンタの電源が投入されると、ＣＰＵ３０１によって、デッキ不揮発ＲＡＭ２７９に保持されている装着デッキシリアルＩＤが読み込まれる。
【００７５】
そして、例えば装着デッキシリアルＩＤとして「００１１Ａ５２」が読み込まれた場合は、データ７４２のように、装着デッキシリアルＩＤアドレスへ、読み込まれた「００１１Ａ５２」が書き込まれる。また、別なデッキが接続されて電源が投入された時に、例えば装着デッキシリアルＩＤとして「００６１Ａ３０」が読み込まれた場合は、データ７４３のように、装着デッキシリアルＩＤアドレスへ、読み込まれた「００６１Ａ３０」が書き込まれる。
【００７６】
ＣＰＵ３０１は、デッキ不揮発ＲＡＭ２７９に保持されている装着デッキシリアルＩＤが読み込まれた時に、読み込まれた装着デッキシリアルＩＤとＲＡＭ３０３に書き込まれている装着デッキシリアルＩＤとを比較する。ここで、読み込まれた装着デッキシリアルＩＤが異なる場合には、デッキ１８０が交換されており、固定ビス１９９が除去されたことを確認する確認動作が必要であると判断する。そして、このように判断した場合には、既述した第１の実施の形態と同様に固定ビス１９９の除去を設置者に気付かせる報知動作を行う。なお、本実施の形態では、デッキ不揮発ＲＡＭ２７９の保持されている装着デッキシリアルＩＤは０以外の値をとる。このため、プリンタ１００に初めてデッキ１８０が接続された時には、必ず固定ビス１９９が除去されたことを確認する必要があると判断し、報知動作を行う。
【００７７】
図１３は、本実施の形態における、既述した図８に示す固定ビス装着判断Ｓ１２０５のフローチャートである。まず、ＣＰＵ３０１は、図１２を使って説明したように、デッキ不揮発ＲＡＭ２７９に保持されている装着デッキシリアルＩＤを読み込む。そして、ＲＡＭ３０３に保持されている、接続したデッキの装着デッキシリアルＩＤと比較し、シリアルＩＤに変化が有るかを判断する（Ｓ２４５１）。
【００７８】
ここで、シリアルＩＤに変化がなければ（Ｓ２４５１のＮ）、既に図８のＳ２１２５、Ｓ２１３５において報知動作を行っており、既に固定ビス１９９が除去されていると判断し（Ｓ２４５５）、本フローを終了する。シリアルＩＤに変化が有れば（Ｓ２４５１のＹ）、プリンタ１００に接続されたデッキ１８０が交換されたもしくは、初めてデッキ１８０が装着されたため、固定ビスが装着されている可能性があると判断する（Ｓ２４６１）。この場合は、図８のＳ２１２５、Ｓ２１３５の報知動作を行う。さらに、このような報知動作を行った後、次回以降は固定ビスが装着されていないと判断するため、ＲＡＭ３０３の装着デッキシリアルＩＤアドレスに、読み込んだデッキシリアルＩＤを書き込んで（Ｓ２４６５）、本フローを終了する。
【００７９】
このように本実施の形態では、デッキ不揮発ＲＡＭ２７９に書き込まれた装着デッキシリアルＩＤを用いて、デッキ１８０が初期設置状態であるか、すなわち最初にシートを給送する前であり、固定ビス１９９の取り外しを確認する確認動作が必要かを判断する。そして、確認動作が必要であると判断した場合には、報知動作を行うことにより、固定ビス１９９の取り外し忘れによりデッキ１８０が破損してしまうことを防止することができる。
【００８０】
なお、既述した第１の実施の形態ではＲＡＭ３０３のデッキ装着履歴フラグを、本実施の形態では、ＲＡＭ３０３の装着デッキシリアルＩＤを使って、一度だけ固定ビス１９９の除去を設置者に気付かせる報知動作を行うようにしている。しかし、本発明は、これに限らず、最初にシートを給送する前かを確認するため、デッキ１８０がプリンタ１００に接続されてから最初に電源がＯＮされたことを検出するようにしても良い。言い換えれば、デッキ１８０の使用の有無を検知し、デッキ１８０が未使用であることを検知することにより、最初にシートを給送する前かを確認するようにしても良い。
【００８１】
デッキが未使用であることを検知するための検知手段として、例えば既述した図４に示すように、デッキリフタモータ４１２と電源５００の間に不可逆的な手段であるヒューズＦを有し、初回電源ＯＮでヒューズＦが切れるようにする。この場合、新品であれば、プリンタ本体の設置後、初回電源ＯＮのとき、接続されたデッキに確認用の電流が流れ、このように確認用の電流が流れることにより、デッキが新品であると判断できる。この場合、初回電源ＯＮであることをＲＡＭ３０３に記憶することにより、以後、固定ビス１９９の取り外し忘れ防止制御は不要となる。また、新品でなければ確認用の電流によりヒューズが切れており、この場合、確認用の電流が流れないことからデッキ１８０が新品でないと判断できる。
【００８２】
なお、初回電源ＯＮであることをＲＡＭ３０３ではなく、デッキ１８０のデッキ不揮発ＲＡＭ２７９に記憶するようにしても良い。この場合、デッキ不揮発ＲＡＭ２７９に、プリンタ１００に接続されてからの初回電源ＯＮであることを保持するフラグ等を設け、ＣＰＵ３０１は、フラグがＯＦＦ状態であることにより初回電源ＯＮで有ることを判断する。その後にフラグをＯＮすることで、上記制御を一度だけ実行するようにしても良い。
【００８３】
また、これまでは、固定ビスの装着判断を実施すると、ＲＡＭ３０３に履歴を書き込むようにした場合について説明したが、設置者による固定ビス１９９除去の応答を受けたと判断してから履歴を書き込んでも構わない。例えば、既述した図７に示す固定ビス１９９除去の指示画面で、設置者によりＯＫキー３１４が押下されると、固定ビス１９９の除去が行われたと判断してＲＡＭ３０３に履歴を書き込んでも良い。また、固定ビス１９９除去の指示画面におけるメッセージ内容も、シート収納部１８１の確認に関連するものであれば良く、例えば「固定ビスを除去しましたか？」のような、直接応答を求める内容でも良い。
【００８４】
なお、これまでは中板１８２を固定ビス１９９により固定する場合について説明したが、画像形成装置には、中板１８２以外にも複数の移動部材が移動可能に設けられている。そして、画像形成装置を輸送するときには、移動部材を固定部材により筐体に対して固定自在に固定する必要がある。このような場合でも、移動部材の取り外し忘れを防止するため、確認動作が必要と判断した場合には表示手段により確認動作を促す画面を表示させる報知動作を行うようにしても良い。
【００８５】
なお、図８、図９、図１０及び図１３に係る制御フローを、プリンタ本体１００Ａに設けられた制御部３００のＣＰＵ３０１によって実施する例を示したがこれに限られるものではない。制御フローを実施するＣＰＵをオプションデッキ１８０に設け制御を実行させるようにしてもよい。
【符号の説明】
【００８６】
１００…フルカラーレーザビームプリンタ、１００Ａ…プリンタ本体、１００Ｂ…画像形成部、１００Ｃ…シート給送装置、１８０…オプションデッキ（シート給送装置）、１８０ａ…筐体、１８０ｂ…突出手段、１８１…シート収納部、１８２…中板（シート積載部材）、１８４…シート有無センサ、１８５…紙面センサ、１８６…中継ぎセンサ、１８９ａ，１８９ｂ…側板、１９１…デッキ開閉検知スイッチ、１９５ａ…ロック機構（ロック手段）、１９６…デッキ開放バネ（付勢手段）、１９９…固定ビス（固定部材）、３００…制御部（制御手段）、３０１…ＣＰＵ、３０３…ＲＡＭ（報知動作記憶手段）、３１１…表示部（表示手段）、３３０…ＵＩ（操作部）、４１１…給送モータ、４１２…デッキリフタモータ、４１３…デッキ開ソレノイド（ロック解除手段）、５００…電源、Ｆ…ヒューズ、Ｐ…シート
【図１】
0006746387.tif 000002
【図２】
0006746387.tif 000003
【図３】
0006746387.tif 000004
【図４】
0006746387.tif 000005
【図５】
0006746387.tif 000006
【図６】
0006746387.tif 000007
【図７】
0006746387.tif 000008
【図８】
0006746387.tif 000009
【図９】
0006746387.tif 000010
【図１０】
0006746387.tif 000011
【図１１】
0006746387.tif 000012
【図１２】
0006746387.tif 000013
【図１３】
0006746387.tif 000014